(57)【要約】【課題】照明装置に用いられる電源装置が熱による影響を受けてしまうのをより確実に抑制できるようにする。【解決手段】照明装置１０は、光源２２を有し、壁部６０に形成された取付穴６１に埋め込み固定される灯具２０と、壁部６０の裏面６０ａに載置され、光源２２に電気的に接続される電源装置３０と、を備えている。また、電源装置３０は、電源装置本体４０と、電源装置本体４０が載置される台座５０と、を備えている。さらに、台座５０は、電源装置本体４０が載置される載置面５１ａを有する載置部５１と、載置部５１に連設され、載置面５１ａと交差する方向に延在する衝立部５２と、を備えている。そして、載置面５１ａに電源装置本体４０を載置し、電源装置本体４０を載置面５１ａよりも上側に位置させた状態で、衝立部５２の先端５２ａを電源装置本体４０よりも上方に突出させた。【選択図】図９
2017073266.tif 000002
【特許請求の範囲】
【請求項１】
光源を有し、壁部に形成された取付穴に埋め込み固定される灯具と、
前記壁部の裏面に載置され、前記光源に電気的に接続される電源装置と、
を備え、
前記電源装置は、電源装置本体と、前記電源装置本体が載置される台座と、を備え、
前記台座は、前記電源装置本体が載置される載置面を有する載置部と、前記載置部に連設され、前記載置面と交差する方向に延在する衝立部と、を備えており、
前記載置面に前記電源装置本体を載置し、前記電源装置本体を前記載置面よりも上側に位置させた状態で、前記衝立部の先端が前記電源装置本体よりも上方に突出していることを特徴とする照明装置。
【請求項２】
前記電源装置本体は略直方体状の筐体を有し、前記衝立部は一対の衝立部を有しており、
前記一対の衝立部の先端が、前記筐体の対角の隅部からそれぞれ上方に突出するように配置されていることを特徴とする請求項１に記載の照明装置。
【請求項３】
前記載置面に前記電源装置本体を載置し、前記電源装置本体を前記載置面よりも上側に位置させた状態における側面視で、前記一対の衝立部のうちの一方の衝立部の先端と他方の衝立部の先端とが重なり合っていないことを特徴とする請求項２に記載の照明装置。
【請求項４】
前記載置面に前記電源装置本体を載置し、前記電源装置本体を前記載置面よりも上側に位置させた状態における側面視で、前記台座は、前記一対の衝立部の先端のみが前記筐体の上面よりも上方に突出していることを特徴とする請求項３に記載の照明装置。
【請求項５】
前記台座は、前記載置面に連設され、前記載置面の外側に延在する延長部を備えていることを特徴とする請求項１〜４のうちいずれか１項に記載の照明装置。
【請求項６】
前記載置面に前記電源装置本体を載置し、前記電源装置本体を前記載置面よりも上側に位置させた状態における平面視で、前記衝立部と前記延長部との間に前記電源装置本体が配置されていることを特徴とする請求項５に記載の照明装置。
【請求項７】
前記衝立部は、前記延長部とは別体に形成されていることを特徴とする請求項５又は請求項６に記載の照明装置。
【請求項８】
請求項１〜７のうちいずれか１項に記載の照明装置に用いられる電源装置。
【請求項９】
請求項８に記載の電源装置に用いられる台座。
【発明の詳細な説明】
【技術分野】
【０００１】
本開示は、照明装置、照明装置に用いられる電源装置および電源装置に用いられる台座に関する。
【背景技術】
【０００２】
従来、照明装置として、光源を有する灯具と、当該灯具の光源に電気的に接続される電源装置と、を備えるものが知られている（例えば、特許文献１参照）。
【０００３】
この特許文献１では、電源装置は、断面略Ｕ字状に折曲させた取付チャネルに固定されており、この取付チャネルを介して灯具の上方に配置されている。そして、取付チャネルを天井に設けられた吊りボルトに固定することで、照明装置が、灯具の上方に電源装置が配置された状態で天井に取り付けられるようにしている。
【先行技術文献】
【特許文献】
【０００４】
【特許文献１】特開２０１２−１２９１７２号公報
【発明の概要】
【発明が解決しようとする課題】
【０００５】
ところで、照明装置としては、灯具を壁部に埋め込み固定する埋め込み型の照明装置も知られている。
【０００６】
そして、このような埋め込み型の照明装置に上記従来の技術を適用させると、電源装置や光源で生じた熱が電源装置の近傍にこもってしまうおそれがある。その結果、電源装置が熱による影響をうけてしまうおそれがある。
【０００７】
特に、断熱施工が施された建物に埋め込み型の照明装置を設置する場合には、電源装置の周囲が、取り付けチャネルおよび断熱材によって覆われてしまうため、電源装置の近傍に熱がこもりやすくなって、電源装置が熱の影響をより受けやすくなる。また、商業用の店舗等、高出力の光源を用いた場合にも、電源装置が熱の影響を受けやすくなる。
【０００８】
このように、灯具を壁部に埋め込み固定する埋め込み型の照明装置を用いる場合、電源装置が熱の影響を受けてしまうのをより確実に抑制できるようにするのが好ましい。
【０００９】
そこで、本開示は、照明装置に用いられる電源装置が熱による影響を受けてしまうのをより確実に抑制できるようにすることを目的とする。
【課題を解決するための手段】
【００１０】
本開示にかかる照明装置は、光源を有し、壁部に形成された取付穴に埋め込み固定される灯具と、前記壁部の裏面に載置され、前記光源に電気的に接続される電源装置と、を備えている。
【００１１】
また、前記電源装置は、電源装置本体と、前記電源装置本体が載置される台座と、を備えている。
【００１２】
また、前記台座は、前記電源装置本体が載置される載置面を有する載置部と、前記載置部に連設され、前記載置面と交差する方向に延在する衝立部と、を備えている。
【００１３】
そして、前記載置面に前記電源装置本体を載置し、前記電源装置本体を前記載置面よりも上側に位置させた状態で、前記衝立部の先端が前記電源装置本体よりも上方に突出している。
【００１４】
また、本開示にかかる電源装置は、前記照明装置に用いられるものである。
【００１５】
そして、本開示にかかる台座は、前記電源装置に用いられるものである。
【発明の効果】
【００１６】
本開示によれば、照明装置に用いられる電源装置が熱による影響を受けてしまうのをより確実に抑制することができるようになる。
【図面の簡単な説明】
【００１７】
【図１】第１実施形態にかかる照明装置を示す平面図である。
【図２】第１実施形態にかかる灯具を表側から視た斜視図である。
【図３】第１実施形態にかかる灯具を裏側から視た斜視図である。
【図４】第１実施形態にかかる電源装置を示す斜視図である。
【図５】第１実施形態にかかる電源装置を示す背面図である。
【図６】第１実施形態にかかる台座の展開図である。
【図７】第１実施形態にかかる電源装置を取付穴から挿入している状態を示す斜視図である。
【図８】電源装置を挿入させるために必要な取付穴の最小径を模式的に説明する説明図である。
【図９】第１実施形態にかかる照明装置を天井に取り付けた状態を一部破断して示す側面図である。
【図１０】第１実施形態の変形例にかかる電源装置を示す端面図である。
【発明を実施するための形態】
【００１８】
以下、本実施にかかる照明装置、照明装置に用いられる電源装置および電源装置に用いられる台座について、図面を参照しながら詳細に説明する。なお、以下では、照明装置として、天井に埋め込まれる天井埋め込み型のダウンライトを例示するとともに、光源としてＬＥＤ光源を用いたものを例示する。
【００１９】
本実施形態にかかるダウンライト（照明装置）１０は、図１に示すように、灯具２０と電源装置３０とを備えている。
【００２０】
灯具２０は、光源２２を有している。この灯具２０は、建物の室内空間Ｒを画成する壁部としての天井６０に形成された天井穴（取付穴）６１に埋め込み固定されて、光源２２からの光を室内空間Ｒに向けて照射させるものである（図９参照）。
【００２１】
一方、電源装置３０は、灯具２０の光源２２に電気的に接続されており、商用電力を変換して光源２２に電力を供給するための装置である。本実施形態では、電源装置３０は、灯具２０とは別体に形成されており、可撓性を有するケーブル８１を介して電源装置３０と光源２２とが電気的に接続されている。そして、ダウンライト（照明装置）１０を天井（壁部）６０に取り付けた際には、電源装置３０は、天井空間Ｓ内に収容された状態で、天井（壁部）６０の裏面６０ａに載置される（図９参照）。このとき、電源装置３０は、天井空間Ｓ内の上方から天井（壁部）６０の裏面６０ａを視た平面視で、灯具２０から離間した状態で配置されるようにするのが好ましい。こうすれば、電源装置３０が光源２２で生じる熱の影響を受けてしまうのをより確実に抑制することができる。
【００２２】
灯具２０は、天井（壁部）６０に形成された天井穴（取付穴）６１に埋め込み固定され、下方に開口する開口部２１ｄを有する有天円筒状のハウジング２１を備えている。
【００２３】
このハウジング２１は、例えば、鋼板を用いて形成することができ、略円筒状の側壁部２１ｂと、側壁部２１ｂの上部を覆う略円板状の天壁部２１ｃと、側壁部２１ｂの下端から径方向外側に向けて突出する略円環状の枠部２１ａと、を備えている。
【００２４】
そして、天壁部２１ｃおよび側壁部２１ｂを室内空間Ｒ側から天井穴６１に挿入した際には、天井６０の下面（表面）６０ｂにおける天井穴６１の周縁部６０ｃが枠部２１ａで覆われるようにしている。
【００２５】
また、本実施形態では、側壁部２１ｂの外周に３本の取付用板ばね２７が形成されている。そして、この取付用板ばね２７と枠部２１ａとで天井６０を挟持することで、ハウジング２１（灯具２０）が、天井６０に形成された天井穴６１に埋め込み固定されるようにしている。
【００２６】
また、図９に示すように、ハウジング２１の天壁部２１ｃの中央部には貫通孔２１ｅが形成されており、この貫通孔２１ｅを上側から覆うように、ヒートシンク２６が取り付けられている。
【００２７】
そして、ヒートシンク２６の下側中央には光源２２が取り付けられており、光源２２とヒートシンク２６とが熱的に接続されている。
【００２８】
ヒートシンク２６は、例えば、熱伝導率の高いアルミダイカストを用いて形成することができ、光源２２で生じた熱をより効率的に放熱させることができるようになっている。
【００２９】
光源２２は、複数のＬＥＤ（発光素子）２２ａと、複数のＬＥＤ（発光素子）２２ａが配置されるＬＥＤ基板（発光素子基部）２２ｂと、を備えている。
【００３０】
そして、複数のＬＥＤ（発光素子）２２ａが下方を向くようにした状態でＬＥＤ基板（発光素子基部）２２ｂをヒートシンク２６の下側中央に固定することで、光源２２とヒートシンク２６とが熱的に接続されるようにしている。
【００３１】
また、光源２２の周囲には、ＬＥＤ（発光素子）２２ａから照射された光を反射させる反射板２３が形成されており、より多くの光を下方に向けて照射できるようにしている。この反射板２３は、例えば、ＰＢＴ（ポリブチレンテレフタレート）樹脂等で形成することができ、下方に向かうにつれて拡径する略椀状をしている。そして、反射板２３は、貫通孔２１ｅに挿入された状態で光源２２を囲うように配置されている。なお、反射板２３の下側の湾曲面が反射面２３ａとなっている。
【００３２】
また、反射板２３の下方には、光を拡散させる拡散板２４が配置されている。この拡散板２４は、例えば、透光性を有するアクリル樹脂等を用いて形成することができる。
【００３３】
また、拡散板２４の下方には、拡散板２４を透過した光を反射させて下方に配光する補助反射板２５が形成されている。本実施形態では、補助反射板２５は、ハウジング２１の開口部２１ｄを覆うように取り付けられている。この反射板２５は、例えば、アルミ板を用いて形成することができ、下方に向かうにつれて拡径する略椀状をしている。そして、反射板２５の下側の湾曲面が反射面２５ａとなっており、反射板２５の下端には開口部２５ｂが形成されている。
【００３４】
さらに、本実施形態では、図３に示すように、ハウジング２１の天壁部２１ｃの上部に、ヒートシンク２６を上から覆う箱部２８が形成されている。
【００３５】
箱部２８は、例えば、熱伝導率が高く、硬くて丈夫なアルミ板を用いて形成することができ、略角筒状の側壁部２８ｂと、側壁部２８ｂの上部を覆う天壁部２８ｃと、を備えている。そして、側壁部２８ｂの下部には、フランジ部２８ａが形成されており、フランジ部２８ａをハウジング２１の天壁部２１ｃにねじ９１で固定することで、箱部２８をハウジング２１の天壁部２１ｃに固定している。なお、側壁部２８ｂは、ヒートシンク２６から水平方向に離間した状態でヒートシンク２６の周囲を囲うように形成されており、上端がヒートシンク２６の上端（先端）２６ａよりも上方に突出するように形成されている。
【００３６】
このように、ハウジング２１の天壁部２１ｃの上部に、ヒートシンク２６を上から覆う箱部２８を形成することで、光源２２からヒートシンク２６に伝えられた熱は、箱部２８を介して灯具２０の外部に排出されることとなる。
【００３７】
なお、断熱施工が施された建物の天井６０に灯具２０を埋め込み固定させる場合には、天井裏に配置された断熱材７０が箱部２８によって上方に押し上げられることとなる（図９参照）。断熱材７０は、例えば、グラスウールやブローイング材を用いて形成することができる。
【００３８】
このように、天井裏に断熱材７０が配置されていると、箱部２８を設けない場合には、ヒートシンク２６が断熱材７０に囲われてしまうため、光源２２で生じた熱がヒートシンク２６の近傍にこもってしまう。これに対して、本実施形態のように箱部２８を設けると、箱部２８が押し上げ部材として機能し、断熱材７０が上方に押し上げられるため、ヒートシンク２６の周囲に広い空間部を確保することができる。その結果、断熱材７０によって熱の排出が邪魔されてしまうのを抑制することができるようになる。
【００３９】
一方、電源装置３０は、図４に示すように、電源装置本体４０を備えており、この電源装置本体４０は、略直方体状の筐体４１と、筐体４１が取り付けられる取付部４２と、を備えている。
【００４０】
筐体４１は、例えば、絶縁性を有する樹脂を用いて形成することができ、筐体の内部には、光源２２に給電するための電子部品（図示せず）等が収納されている。
【００４１】
そして、筐体４１の長手方向一端側には、ケーブル８１が接続されており、このケーブル８１を介して筐体４１の内部の電子部品が光源２２に電気的に接続されている。
【００４２】
また、筐体４１の長手方向他端側には、図５に示すように、端子部４１ａが形成されており、この端子部４１ａには、ＶＶＦケーブル８２が接続されている。ＶＶＦケーブル８２は図示せぬ商用電源に電気的に接続されており、このＶＶＦケーブル８２を介して筐体４１の内部の電子部品に電力が供給されるようになっている。
【００４３】
取付部４２は、例えば、亜鉛メッキ鋼板を用いて形成することができ、本実施形態では、一枚の板状の部材を折曲させることで形成されている。具体的には、一枚の板状の部材の長手方向両端をＬ字状に屈曲させることで形成されている。すなわち、取付部４２は、本実施形態では、筐体４１が載置される載置部４２ａと、天井（壁部）６０の裏面６０ａ等に載置させることが可能な脚部４２ｂと、を備えている。
【００４４】
このように、本実施形態の電源装置本体４０は、それ自体が電源装置としての機能を有するものであるが、本実施形態では、既存の電源装置を電源装置３０の一部である電源装置本体４０として用いている。
【００４５】
ところで、既存の電源装置を用い、断熱施工が施された建物の天井６０にダウンライト（照明装置）１０を埋め込み固定させる場合には、天井（壁部）６０の裏面６０ａと断熱材７０との間に既存の電源装置を配置させることとなる。すなわち、既存の電源装置は、筐体の上面が断熱材７０に接触した状態で、当該断熱材７０に覆われることとなる。そして、筐体内に収納された電子部品も発熱する部品である。したがって、かかる状態でダウンライト（照明装置）１０を使用すると、使用する光源の出力によっては、既存の電源装置の近傍に熱がこもってしまい、電源装置が熱の影響を受けてしまうおそれがある。
【００４６】
例えば、一般家庭で用いられる光源を用いた場合には、既存の電源装置であっても電源装置が熱の影響を受けてしまうのを抑制することができたとしても、商業用の店舗等のように高出力の光源を用いた場合には、電源装置が熱の影響を受けてしまうことがある。
【００４７】
そのため、断熱施工が施された建物の天井６０に、高出力の光源を用いたダウンライト（照明装置）１０を埋め込み固定させる場合であっても、電源装置が熱の影響を受けてしまうのを抑制できるようにするのが好ましい。
【００４８】
特に、既存の電源装置自体の設計変更を行うことなく、電源装置が熱の影響を受けてしまうのを抑制できるようにするのが好ましい。
【００４９】
そこで、本実施形態では、既存の電源装置を用いつつ、電源装置が熱による影響を受けてしまうのをより確実に抑制できるようにした。
【００５０】
具体的には、電源装置３０が、既存の電源装置である電源装置本体４０を載置させる台座５０をさらに備えるようにした。
【００５１】
この台座５０は、硬くて丈夫な材料で形成するのが好ましく、例えば、鋼板や鉄板などの金属材料を用いて形成することができる。
【００５２】
本実施形態では、図６に示すように、１枚の板状の鋼板を折曲することで台座５０を形成している。
【００５３】
この台座５０は、電源装置本体４０が載置される載置面５１ａを有する載置部５１と、載置部５１に連設され、上方（載置面５１ａと交差する方向）に延在する衝立部５２と、を備えている。
【００５４】
そして、載置面５１ａに電源装置本体４０を載置し、電源装置本体４０を載置面５１ａよりも上側に位置させた状態で、衝立部５２の先端５２ａが電源装置本体４０よりも上方に突出するようにした。なお、電源装置本体４０は、図１に示すように、ねじ９２を用いて載置部５１に固定されている。また、載置部５１には、ケーブル８１が押さえ部８１ａによって固定されており、取付作業の際等にケーブル８１が引っ張られて電源装置本体４０から外れてしまうのを抑制できるようにしている。
【００５５】
さらに、本実施形態では、衝立部５２の先端５２ａを上に凸の半円弧状となるようにしている。
【００５６】
また、本実施形態では、衝立部５２を一対形成し、一対の衝立部５２が、載置面５１ａに電源装置本体４０を載置し、電源装置本体４０を載置面５１ａよりも上側に位置させた状態における平面視で略直方体状の筐体４１の対角の隅部に位置するようにしている。
【００５７】
具体的には、平面視で、筐体４１の幅方向（短手方向）一方側で長手方向に延びる辺の長手方向一方側（筐体４１のケーブル８１が接続される側）に、一方の衝立部５２が筐体４１の幅方向（短手方向）一方側の側面４１ｂと対向するように配置されている。
【００５８】
そして、筐体４１の幅方向（短手方向）他方側で長手方向に延びる辺の長手方向他方側（筐体４１のＶＶＦケーブル８２が接続される側）に、他方の衝立部５２が筐体４１の幅方向（短手方向）他方側の側面４１ｃと対向するように配置されている。
【００５９】
さらに、電源装置３０を筐体４１の幅方向（短手方向）から視た状態で、一対の衝立部のうちの一方の衝立部５２の先端５２ａと他方の衝立部５２の先端５２ａとが重なり合わないようにしている（図９参照）。なお、本実施形態では、載置面５１ａに電源装置本体４０を載置し、電源装置本体４０を載置面５１ａよりも上側に位置させた状態における側面視が、電源装置３０を筐体４１の幅方向（短手方向）から視た状態のことである。
【００６０】
そして、本実施形態では、台座５０は、一対の衝立部５２の先端５２ａのみが筐体４１の上面４１ｄよりも上方に突出するようにしている。すなわち、側面視で、筐体４１の上面４１ｄよりも上方に突出する一対の衝立部５２の先端５２ａの間に台座５０の他の部位が存在しないようにしている。
【００６１】
こうすることで、筐体４１の対角の隅部の２箇所のみで台座５０が筐体４１の上面４１ｄよりも上方に突出することになって、筐体４１の上面４１ｄの周囲の大半を台座５０によって覆われない領域とすることができる。
【００６２】
また、台座５０は、載置面５１ａに連設され、載置面５１ａの外側に略水平に延在する延長部５３を備えている。本実施形態では、延長部５３も一対形成されており、一対の延長部５３は、載置面５１ａに電源装置本体４０を載置し、電源装置本体４０を載置面５１ａよりも上側に位置させた状態における平面視で略直方体状の筐体４１の対角の隅部に位置している。
【００６３】
具体的には、平面視で、筐体４１の幅方向一方側で長手方向に延びる辺の長手方向他方側（筐体４１のＶＶＦケーブル８２が接続される側）に、一方の延長部５３が筐体４１の幅方向一方側の側面４１ｂから離間するように突設されている。
【００６４】
そして、筐体４１の幅方向他方側で長手方向に延びる辺の長手方向一方側（筐体４１のケーブル８１が接続される側）に、他方の延長部５３が筐体４１の幅方向他方側の側面４１ｃから離間するように突設されている。
【００６５】
このように、本実施形態では、衝立部５２および延長部５３は、それぞれ一対形成されており、一方の衝立部５２と他方の延長部５３とが筐体４１の幅方向に並設されており、他方の衝立部５２と一方の延長部５３とが筐体４１の幅方向に並設されている。
【００６６】
すなわち、本実施形態では、載置面５１ａに電源装置本体４０を載置し、電源装置本体４０を載置面５１ａよりも上側に位置させた状態における平面視で、衝立部５２と延長部５３との間に電源装置本体４０が配置されるようになっている。
【００６７】
したがって、本実施形態にかかる台座５０は、略点対称となる形状をした一枚の板状の鋼板を折曲することで形成されている。
【００６８】
なお、本実施形態では、一枚の板状の鋼板の長手方向両端を折曲することで、載置部５１の長手方向両端に脚部５１ｂを形成し、一対の延長部５３の先端を折曲することで脚部５３ａをそれぞれ形成している。
【００６９】
したがって、台座５０は、一対の脚部５１ｂおよび一対の脚部５３ａで天井（壁部）６０の裏面６０ａに載置されることとなる。このとき、天井（壁部）６０の裏面６０ａと載置部５１との間に隙間Ｓ２が形成されることとなり、この隙間Ｓ２を形成することによっても電源装置の熱による影響を緩和させることができるようになっている。
【００７０】
また、本実施形態では、既存の電源装置を電源装置本体４０として用いているため、載置部４２ａと載置部５１との間にも隙間Ｓ３が形成され、この隙間Ｓ３を形成することによっても電源装置の熱による影響を緩和させることができるようになっている。
【００７１】
かかる構成をした電源装置３０は、図７に示すように、室内空間Ｒ側から天井穴６１に挿入させて、天井空間Ｓ内に収容させることで、天井（壁部）６０の裏面６０ａに載置されることとなる。
【００７２】
このとき、天井裏に断熱施工が施されている場合には、衝立部５２の先端５２ａで断熱材７０を上方に押し上げながら、天井（壁部）６０の裏面６０ａに載置させることになる。
【００７３】
ここで、本実施形態では、衝立部５２の先端５２ａを上に凸の半円弧状としている。そのため、断熱材７０を上方に押し上げながら電源装置３０を移動させる際に、衝立部５２が断熱材に引っ掛かってしまうのが抑制され、よりスムースに電源装置３０を天井裏に配置させることができる。
【００７４】
そして、天井（壁部）６０の裏面６０ａと断熱材７０との間に電源装置３０を配置させると、筐体４１の上方に位置する断熱材７０は、一対の衝立部５２によって上方に押し上げられた状態で支持されることとなる。すなわち、筐体４１の上面４１ｄと断熱材７０との間に隙間Ｓ１が形成されることとなる（図９参照）。
【００７５】
ところで、本実施形態のように、一対の衝立部５２が幅方向から視た際に重なり合わないようにするとともに一対の延長部５３が幅方向から視た際に重なり合わないようにすれば、電源装置３０を天井穴６１に挿入させやすくなる。
【００７６】
例えば、衝立部５２および延長部５３を長手方向に幅広に形成し、一対の衝立部５２および一対の延長部５３が、幅方向から視た際に重なり合うようにすると、幅方向両側に一対の衝立部５２および一対の延長部５３が存在する箇所ができてしまう。
【００７７】
そうすると、図８の破線で示す円Ｃ１よりも径を大きくしないと、電源装置３０を挿入させることができなくなる。
【００７８】
これに対して、本実施形態のようにすれば、図８の実線で示す円Ｃ２よりも径を大きくすればよくなる。そして、この円Ｃ２の径は円Ｃ１の径よりも小さい。したがって、同じ大きさの穴に挿入させる場合には、本実施形態の構成とした方が、余裕を持って穴に挿入させることができる。そのため、本実施形態の構成とすれば、より容易に電源装置３０を天井穴６１に挿入させることができるようになる。
【００７９】
以上説明したように、本実施形態のダウンライト（照明装置）１０は、光源２２を有し、天井（壁部）６０に形成された天井穴（取付穴）６１に埋め込み固定される灯具２０を備えている。また、ダウンライト（照明装置）１０は、天井（壁部）６０の裏面６０ａに載置され、光源２２に電気的に接続される電源装置３０を備えている。
【００８０】
また、電源装置３０は、電源装置本体４０と、電源装置本体４０が載置される台座５０と、を備えている。
【００８１】
また、台座５０は、電源装置本体４０が載置される載置面５１ａを有する載置部５１と、載置部５１に連設され、載置面５１ａと交差する方向に延在する衝立部５２と、を備えている。
【００８２】
そして、載置面５１ａに電源装置本体４０を載置し、電源装置本体４０を載置面５１ａよりも上側に位置させた状態で、衝立部５２の先端５２ａを電源装置本体４０よりも上方に突出させている。
【００８３】
こうすれば、断熱施工が施された建物の天井６０に灯具２０を埋め込み固定させる場合に、電源装置本体４０と断熱材７０との間に隙間Ｓ１を形成することができる。その結果、断熱施工が施された建物において、高出力の光源を用いた場合であっても、電源装置３０の熱による影響を緩和させることができるようになる。
【００８４】
このように、本実施形態によれば、熱による影響を受けてしまうのをより確実に抑制することのできる電源装置３０を得ることができる。さらに、このような電源装置３０を用いたダウンライト（照明装置）１０、および、このような電源装置３０に用いられる台座５０を得ることができる。
【００８５】
また、本実施形態では、電源装置本体４０は略直方体状の筐体４１を有し、衝立部５２は一対の衝立部５２を有しており、一対の衝立部５２の先端５２ａが、筐体４１の対角の隅部からそれぞれ上方に突出するように配置されている。
【００８６】
こうすれば、筐体４１の上面４１ｄの周囲における台座５０によって覆われない領域をより大きくすることができる。その結果、筐体４１の上面４１ｄと断熱材７０との間の隙間Ｓ１に熱がこもってしまうのが抑制され、電源装置３０の熱による影響をより緩和させることができるようになる。
【００８７】
また、載置面５１ａに電源装置本体４０を載置し、電源装置本体４０を載置面５１ａよりも上側に位置させた状態における側面視で、一対の衝立部５２のうちの一方の衝立部５２の先端５２ａと他方の衝立部５２の先端５２ａとが重なり合わないようにした。
【００８８】
こうすれば、筐体４１の上面４１ｄの周囲における台座５０によって覆われない領域をより大きくすることができる。また、電源装置３０をより容易に天井穴６１から天井裏に挿入させることができるようになる。
【００８９】
また、本実施形態では、載置面５１ａに電源装置本体４０を載置し、電源装置本体４０を載置面５１ａよりも上側に位置させた状態における側面視で、台座５０は、一対の衝立部５２の先端５２ａのみが筐体４１の上面４１ｄよりも上方に突出するようにした。
【００９０】
こうすれば、筐体４１の上面４１ｄの周囲における台座５０によって覆われない領域をより大きくすることができる。
【００９１】
また、本実施形態では、台座５０は、載置面５１ａに連設され、載置面５１ａの外側に延在する延長部５３を備えている。
【００９２】
こうすれば、天井（壁部）６０の裏面６０ａに載置した電源装置３０が転倒してしまうのを抑制することができるようになる。
【００９３】
また、本実施形態では、載置面５１ａに電源装置本体４０を載置し、電源装置本体４０を載置面５１ａよりも上側に位置させた状態における平面視で、衝立部５２と延長部５３との間に電源装置本体４０が配置されるようにした。
【００９４】
こうすれば、電源装置本体４０を挟んで衝立部５２と対応する位置に延長部５３が形成されるため、台座５０のバランスをより安定させることが可能となる。特に、一対の衝立部５２および一対の延長部５３を点対称となる位置に配置させるようにすれば、台座５０のバランスをより一層安定させることができるようになる。その結果、電源装置３０が転倒してしまうのをより確実に抑制することが可能となる。
【００９５】
以上、本開示の好適な実施形態について例示して説明したが、上記実施形態には限定されず、種々の変形が可能である。
【００９６】
例えば、図１０に示すように、衝立部５２Ａを延長部５３とは別体に形成した台座５０Ａを用いることも可能である。この台座５０Ａは、ねじ９３を用いて衝立部５２Ａを載置部５１に固定することで形成されている。このような台座５０Ａを用いても上記実施形態と同様の作用、効果を奏することができる。
【００９７】
また、上記実施形態では、照明装置として、天井に埋め込まれるダウンライトを例示したが、建物の室内空間を画成する壁部であって、天井以外の壁部に灯具を埋め込み固定することも可能である。
【００９８】
また、上記実施形態では、ＬＥＤを光源として用いたものを例示したが、半導体光源等を用いることも可能である。
【００９９】
また、灯具や電源装置本体の構成は、上記実施形態で示した構成に限られるものではなく、従来公知の構成を採用することが可能である。
【０１００】
また、衝立部や延長部、その他細部のスペック（形状、大きさ、レイアウト等）も適宜に変更可能である。
【符号の説明】
【０１０１】
１０  ダウンライト（照明装置）
２０  灯具
２２  光源
３０  電源装置
４０  電源装置本体
４１  筐体
４１ｄ  上面
５０，５０Ａ  台座
５１  載置部
５１ａ  載置面
５２，５２Ａ  衝立部
５２ａ  先端
５３  延長部
６０  天井（壁部）
６１  天井穴（取付穴）
【図１】
2017073266.tif 000003
【図２】
2017073266.tif 000004
【図３】
2017073266.tif 000005
【図４】
2017073266.tif 000006
【図５】
2017073266.tif 000007
【図６】
2017073266.tif 000008
【図７】
2017073266.tif 000009
【図８】
2017073266.tif 000010
【図９】
2017073266.tif 000011
【図１０】
2017073266.tif 000012